(57)【要約】【課題】  本発明は、傘の石突部等のような尖端状の取付体に容易に着脱することができるので傘をはじめとする他の取付体に取り付けたり、不要の場合は容易に取り外すことができるセーフティーＬＥＤライトを提供する。【解決手段】  セーフティーＬＥＤライト１０の基台１２の底面中央にはボス部１４が突設され、ボス部１４には取付体嵌入孔１６が穿設されている。前記ボス部１４には取付体嵌入孔１６の内周面１６Ａから放射方向に向ってスリット１８が４本形成されている。前記基台１２には円筒形状のカバー体２０が着脱可能に取り付けられるようになっている。このカバー体２０の側部内周面にはＬＥＤライト２２が複数取り付けられ、カバー体２０に設けられたスイッチ３０によって点灯されるようになっている。前記カバー体２０の基端面には開口部３２が形成され、開口部３２を形成することにより係止片部３４が形成されている。【選択図】  図１
2006139927.tif 000002
【特許請求の範囲】
【請求項１】
弾性体で形成された基台と、この基台の中央に貫通形成されると共に基台が取り付けられる取付体の直径寸法よりも小さい内径寸法に設定された取付体嵌入孔と、この取付体嵌入孔の内周面から放射方向に形成されたスリットと、前記基台に着脱可能に取り付けられると共に弾性体で筒状に形成されたカバー体と、このカバー体に設けられたＬＥＤライトと、前記カバー体に形成された電源取付部と、この電池取付部に配設された電源と、前記カバー体に設けられたスイッチと、を有してなることを特徴とするセーフティーＬＥＤライト。
【請求項２】
弾性体で平面視円形状に形成された基台と、この基台の中央に貫通形成されると共に基台が取り付けられる取付体の直径寸法よりも小さい内径寸法に設定された取付体嵌入孔と、この取付体嵌入孔の内周面から放射方向に形成された複数のスリットと、前記基台に着脱可能に取り付けられると共に弾性体で円筒形状に形成されたカバー体と、このカバー体に円周方向に沿って複数設けられたＬＥＤライトと、前記カバー体の先端面に設けられた天板部に形成された電池取付部と、この電池取付部に配設されたボタン電池と、前記カバー体の側面に設けられたスイッチと、前記カバー体の基端面に形成されると共に前記基台をカバー体に挿入することができる開口部と、を有してなることを特徴とするセーフティーＬＥＤライト。
【請求項３】
ゴムで平面視円形状に形成された基台と、この基台の底面中央に突設されたボス部と、このボス部に対応する前記基台の中央に貫通形成されると共に基台が取り付けられる取付体の直径寸法よりも僅かに小さい内径寸法に設定された取付体嵌入孔と、この取付体嵌入孔の内周面から放射方向に形成された複数のスリットと、前記基台に着脱可能に取り付けられると共に透明なシリコンゴムで円筒形状に形成されたカバー体と、このカバー体の内周面には円周方向に沿って複数設けられたＬＥＤライトと、前記カバー体の先端面に設けられた天板部に形成された電池取付部と、この電池取付部に配設されたボタン電池と、前記カバー体の側面に設けられたスイッチと、前記カバー体の基端面に形成されると共に前記基台をカバー体に挿入することができる開口部と、前記カバー体の基端部に形成されると共にカバー体に挿入された基台が勝手に離間するのを防止する係止片部と、を有してなることを特徴とするセーフティーＬＥＤライト。
【発明の詳細な説明】
【技術分野】
【０００１】
本発明は、主に傘の石突部等のような尖端状の取付体に容易に着脱して使用することができるセーフティーＬＥＤライトに関する。
【背景技術】
【０００２】
車のドライバー等にとっては夜間降雨時の視界は悪く、車のドライバー等は遠くから歩行者を認識するのが困難になり交通事故の原因の一因になっている。
そこで、車のドライバー等が傘をさしている歩行者を遠くからでも認識できて交通事故を減少できるように、傘の石突部に電球を取り付けてなる電灯付き傘が提案されている。
この電灯付き傘は石突部に電球が取り付けられているので、電球を点灯させることにより夜間降雨時等のような視界の悪い時でも車のドライバー等は遠くから電灯付き傘をさしている歩行者を認識することができる。
しかし、このタイプの電灯付き傘は石突部に電球が取り付けられ傘の柄付近にスイッチが取り付けられているため、電球やスイッチを容易に着脱することができないので他の傘等に取り付けたり、あるいは昼間時に傘を使用する場合にも電球を付けたままの状態の傘を使用しなければならないという不具合がある。
【特許文献１】特開平７−２１３３１８
【発明の開示】
【発明が解決しようとする課題】
【０００３】
本発明は、上記事実に鑑みなされたものであり、傘の石突部等のような尖端状の取付体に容易に着脱することができるので他の傘をはじめとする他の取付体に取り付けたり、昼間時傘を使用する場合は取り外すことができるセーフティーＬＥＤライトを提供するものである。
【課題を解決するための手段】
【０００４】
請求項１の発明は、弾性体で形成された基台と、この基台の中央に貫通形成されると共に基台が取り付けられる取付体の直径寸法よりも小さい内径寸法に設定された取付体嵌入孔と、この取付体嵌入孔の内周面から放射方向に形成されたスリットと、前記基台に着脱可能に取り付けられると共に弾性体で筒状に形成されたカバー体と、このカバー体に設けられたＬＥＤライトと、前記カバー体に形成された電源取付部と、この電池取付部に配設された電源と、前記カバー体に設けられたスイッチと、を有してなることを特徴としている。
請求項２の発明は、弾性体で平面視円形状に形成された基台と、この基台の中央に貫通形成されると共に基台が取り付けられる取付体の直径寸法よりも小さい内径寸法に設定された取付体嵌入孔と、この取付体嵌入孔の内周面から放射方向に形成された複数のスリットと、前記基台に着脱可能に取り付けられると共に弾性体で円筒形状に形成されたカバー体と、このカバー体に円周方向に沿って複数設けられたＬＥＤライトと、前記カバー体の先端面に設けられた天板部に形成された電池取付部と、この電池取付部に配設されたボタン電池と、前記カバー体の側面に設けられたスイッチと、前記カバー体の基端面に形成されると共に前記基台をカバー体に挿入することができる開口部と、を有してなることを特徴としている。
請求項３の発明は、ゴムで平面視円形状に形成された基台と、この基台の底面中央に突設されたボス部と、このボス部に対応する前記基台の中央に貫通形成されると共に基台が取り付けられる取付体の直径寸法よりも僅かに小さい内径寸法に設定された取付体嵌入孔と、この取付体嵌入孔の内周面から放射方向に形成された複数のスリットと、前記基台に着脱可能に取り付けられると共に透明なシリコンゴムで円筒形状に形成されたカバー体と、このカバー体の内周面には円周方向に沿って複数設けられたＬＥＤライトと、前記カバー体の先端面に設けられた天板部に形成された電池取付部と、この電池取付部に配設されたボタン電池と、前記カバー体の側面に設けられたスイッチと、前記カバー体の基端面に形成されると共に前記基台をカバー体に挿入することができる開口部と、前記カバー体の基端部に形成されると共にカバー体に挿入された基台が勝手に離間するのを防止する係止片部と、を有してなることを特徴としている。
【発明の効果】
【０００５】
請求項のセーフティーＬＥＤライトは、尖端状の取付体に容易に着脱することができるので、他の傘等にも取り付けて使用できるという優れた効果を有する。
また、請求項のセーフティーＬＥＤライトは、尖端状の取付体に容易に着脱することができるので、昼間時等のように視界の良いときには取り外して傘を使用できるという優れた効果を有する。
【発明を実施するための最良の形態】
【０００６】
発明を実施するために最良の形態の例として以下のような実施例を示す。
【実施例１】
【０００７】
図１〜図４には本発明に係わるセーフティーＬＥＤライトの一実施例が示されている。なお、実施例ではセーフティーＬＥＤライト１０を尖端状の取付体としての傘１の石突部２に取り付ける場合を例にして説明する。
図１及び図３に示されるように、セーフティーＬＥＤライト１０の基台１２は傘１の石突部２に直接取り付けられるようになっている。
図２及び図３に示されるように、この基台１２はゴムで平面視円形状に一体形成され、基台１２の底面中央には円柱状のボス部１４が突設されている。図１及び図２に示されるように、このボス部１４の中央には前記基台１２を貫通する取付体嵌入孔１６が穿設されている。また、この取付体嵌入孔１６の直径寸法は一般的な傘１の石突部２の外径寸法よりも少し小さくなるように設定されている。
図２に示されるように、前記ボス部１４には取付体嵌入孔１６の内周面１６Ａから放射方向に向ってスリット１８が４本形成されている。このため、前記傘１の石突部２の外径寸法が前記取付体嵌入孔１６の内径寸法より大きくても石突部２を強く差し込めば取付体嵌入孔１６が拡開して石突部２を取付嵌入孔１６に嵌入させることができる。従って、メーカーや傘の種類によって前記傘１の石突部２の外径寸法が相違して石突部２の外径寸法が前記取付体１６の内径寸法より大きくても石突部２の外径寸法にあまり影響を受けずに石突部２を取付体嵌入孔１６に嵌入して、前記基台１２を石突部２に確実に取り付けることができる。
図１及び図３に示されるように、前記基台１２には円筒形状のカバー体２０が着脱可能に取り付けられるようになっている。このカバー体２０は弾性体としての透明なシリコンゴムで形成されている。
図１に示されるように、前記カバー体２０の側部内周面には円周方向に沿ってＬＥＤライト２２が間隔を設けて複数取り付けられている。従って、これらＬＥＤライト２２はカバー体２０の側部内周面に取り付けられていても前記カバー体２０は弾性体としての透明なシリコンゴムで形成されているので、遠くからでも前記ＬＥＤライト２２の点灯を認識することができる。
また、前記カバー体２０の先端面に形成された天板部２４には窪んだ電池取付部２６が形成されている。この電池取付部２６には電源としてのボタン電池２８が配設されている。このボタン電池２８は前記カバー体２０の側面に設けられたスイッチ３０を介して前記複数のＬＥＤライト２２と接続されている。
前記カバー体２０の基端面には基台１２を挿入することができる円形の開口部３２が形成され、開口部３２を形成することにより底面視リング状の係止片部３４が形成されている。従って、前記カバー体２０の開口部３２から基台１２を挿入すると係止片部３４によって基台１２とカバー体２０が勝手に離間しないようになっている。
【０００８】
次に、実施例のセーフティーＬＥＤライト１０の使用方法について説明する。
このセーフティーＬＥＤライト１０を傘１の石突部２に取り付ける場合は、まず、カバー体２０と分離している基台１２の取付体嵌入孔１６に傘１の石突部２を強く差し込む。すると、前記石突部２の直径寸法は前記取付体嵌入孔１６の内径寸法よりも僅かに大きく設定されているが、前記ボス部１４には放射方向にスリット１８が４本形成されているので、前記石突部２を取付体嵌入孔１６に強く差し込むと取付体嵌入孔１６が拡開して前記石突部２は取付体嵌入孔１６に密着状態で嵌入される。しかも、基台１２にボス部１４を形成したことにより取付体嵌入孔１６の長さが長くなり石突部２との当接面積が大きくなるので、図３に示されるように前記傘１の石突部２に基台１２を確実に取り付けることができる。
次に、前記基台１２にカバー体２０をかぶせるようにして、基台１２をカバー体２０の開口部３２に挿入して基台１２にカバー体２０を取り付ける。なお、前記基台１２はカバー体２０の係止片部３４によってカバー体２０と勝手に離間するのを防止される。
これにより、図４に示されるようにセーフティーＬＥＤライト１０を傘１に確実に取り付けることができる。
そして、セーフティーＬＥＤライト１０のスイッチ３０をオンにするとＬＥＤライト２２が点灯する。
この結果、複数の前記ＬＥＤライト２２が点灯することにより夜間降雨時等のような視界不良時でも車のドライバー等は遠くから前記セーフティーＬＥＤライト１０を認識することができ、視界不良を原因とする交通事故の発生を減少させることができる。しかも、前記ＬＥＤライト２２は円筒形状のカバー体２０の円周方向に沿って複数取り付けられているので、どの方向からでも認識することができる。
また、傘１の石突部２からセーフティーＬＥＤライト１０を取り外す場合は、セーフティーＬＥＤライト１０の基台１２を持って傘１と離間方向に強く引っ張れば前記石突部２が基台１２の取付体嵌入孔１６から抜けるので、セーフティーＬＥＤライト１０を引っ張るだけの簡単な作業でセーフティーＬＥＤライト１０を前記傘１から容易に取り外すことができる。
従って、傘１の石突部２の外径寸法が取付体嵌入孔１６の内径寸法よりも大きくてもセーフティーＬＥＤライト１０を石突部２に取り付けることができるので、メーカーや種類の違う傘１にもセーフティーＬＥＤライト１０を取り付けて使用することができることは勿論、傘１の石突部２等のような尖端状の取付体であればセーフティーＬＥＤライト１０は取付体の種類や用途に関係なく広く使用することができる。
また、前記セーフティーＬＥＤライト１０を取り付けた傘１を持って誤ってセーフティーＬＥＤライト１０を地面等に突いたとしてもセーフティーＬＥＤライト１０のカバー体２０はシリコンゴムで形成されているので、衝撃を緩衝することができ、セーフティーＬＥＤライト１０の破損を防止することができる。
なお、前記セーフティーＬＥＤライト１０は容易に傘１の石突部２に着脱できるので、視界の良い昼間時等においてはセーフティーＬＥＤライト１０を石突部２から取り外して傘１を使用すれば傘１の外観品質を低下させることなく傘１を使用することができる。
【０００９】
なお、実施例ではセーフティーＬＥＤライト１０を尖端状の取付体としての傘１の石突部２に取り付ける場合を説明したが、セーフティーＬＥＤライト１０を取り付ける尖端状の取付体は傘１の石突部２に限定されるものではなく、例えば道路工事現場に杭等を立設し、この杭の尖端部にセーフティーＬＥＤライト１０を取り付けて夜間でも道路工事現場を遠くから認識できるようにして安全性を確保するようにしてもよいことは勿論である。
【図面の簡単な説明】
【００１０】
【図１】実施例のセーフティーＬＥＤライトを傘の石突部に取り付けた状態の縦断面図である。
【図２】実施例のセーフティーＬＥＤライトの基台の底面図である。
【図３】実施例のセーフティーＬＥＤライトの基台にカバー体を取り付ける状態図である。
【図４】実施例のセーフティーＬＥＤライトを傘の石突部に取り付けた状態の全体図である。
【符号の説明】
【００１１】
１０    セーフティーＬＥＤライト
１２    基台
１４    ボス部
１６    取付体嵌入孔
１８    スリット
２０    カバー体
２２    ＬＥＤライト
２４    天板部
２６    電池取付部
２８    ボタン電池
３０    スイッチ
３２    開口部
３４    係止片部
【図１】
2006139927.tif 000003
【図２】
2006139927.tif 000004
【図３】
2006139927.tif 000005
【図４】
2006139927.tif 000006